(57)【要約】【課題】口紐を通すための縫製作業や口紐通し作業を不要にして、簡便に使用できるようすにする。【解決手段】経糸１２と緯糸１３で袋織りして形成され、一端に開口部１４を有する二重織物からなる無縫製袋土嚢１１において、互いに重なり合う一方の織組織１５と他方の織組織１６にける開口部１４の縁部に、袋織り時に織り込まれた口紐１７を緯糸１３と平行に備えた。口紐１７は無縫製袋土嚢１１が織成された段階で備えられているので、そのまま使用できる。【選択図】図１
2019052449.tif 000002
【特許請求の範囲】
【請求項１】
経糸と緯糸で袋織りして形成され、一端に開口部を有する二重織物からなる土嚢であって、
互いに重なり合う一方の織組織と他方の織組織における前記開口部の縁部に、前記袋織り時に織り込まれた口紐を前記経糸又は前記緯糸と平行に有する
無縫製袋土嚢。
【請求項２】
前記経糸によって複数個が連続して形成された
請求項１に記載の無縫製袋土嚢。
【請求項３】
ロール状に巻回された
請求項２に記載の無縫製袋土嚢。
【請求項４】
前記一方の織組織又は前記他方の織組織の少なくとも一方の表面に種子を付着させた
請求項１から請求項３のうちいずれか一項に記載の無縫製袋土嚢。
【請求項５】
前記一方の織組織と前記他方の織組織のうちの一方を構成する主な糸が黒色であり、他方を構成する主な糸が緑色である
請求項１から請求項４のうちいずれか一項に記載の無縫製袋土嚢。
【請求項６】
経糸と緯糸で袋織りして、一端に開口部を有する二重織物からなる土嚢を製造する土嚢の製造方法であって、
前記袋織りに同期して、口紐を前記開口部の縁部に前記経糸又は前記緯糸と平行に織り込む
無縫製袋土嚢の製造方法。
【発明の詳細な説明】
【技術分野】
【０００１】
この発明は、土嚢に関し、より詳しくは、製造が容易で使用が簡便に行えるような土嚢に関する。
【背景技術】
【０００２】
製造が容易な土嚢が下記特許文献１に開示されている。この土嚢は、複数の土嚢が織成により連続して形成されたものであり、土嚢の下端の底部と上端の開口部を織成方向に並べて形成される。土嚢の底部は、左右両側の縁部と同様に織成生地が織り込まれて形成される。この底部は、織成方向に所定幅に設定され、その直ぐ下に、生地が織り込まれていない部分を形成する。
【０００３】
また土嚢の内側に、予め種子、肥料を接着しておくとの記載もある。
【０００４】
使用に際しては、底部の下の、生地が織り込まれていない部分で切断して、開口部の近傍に別体の口紐を縫い目状に通して、開口部を閉鎖可能にする。
【０００５】
この土嚢では、土嚢本体を製造するのに際して口紐を取り付けるための縫製が不要であるので、製造が容易である。しかし、口紐は使用時に別途の作業で取り付ける必要がある。
【先行技術文献】
【特許文献】
【０００６】
【特許文献１】実開昭６４−６２２号公報
【発明の概要】
【発明が解決しようとする課題】
【０００７】
この発明は、縫製作業を不要にして製造が容易にできる上に、使用に際しての口紐通し作業を不要にして使用を簡便にできるようにすることを主な目的とする。
【課題を解決するための手段】
【０００８】
そのための手段は、経糸と緯糸で袋織りして形成され、一端に開口部を有する二重織物からなる土嚢であって、互いに重なり合う一方の織組織と他方の織組織における前記開口部の縁部に、前記袋織り時に織り込まれた口紐を前記経糸又は前記緯糸と平行に有する無縫製袋土嚢である。
【０００９】
この構成では、口紐があらかじめ備えられているので、使用に際して特別に行わなければならない作業はなく、土などを入れてから口紐を用いて開口部を閉塞する。必要であれば、口紐の一端同士を結んだり溶着したりして固定しておいてもよい。
【発明の効果】
【００１０】
この発明によれば、織成時に口紐を保持させるので縫製作業を不要にして製造が容易にできる上に、使用に際しても口紐を通す作業が不要であり、使用が簡便に行える。
【図面の簡単な説明】
【００１１】
【図１】無縫製袋土嚢の斜視図。
【図２】図１のＡ部分の拡大図。
【図３】土嚢連結体の平面図。
【図４】土嚢連結体の分解斜視図。
【図５】巻回した土嚢連結帯の斜視図。
【図６】無縫製袋土嚢の一部破断平面図。
【図７】無縫製袋土嚢の断面図。
【図８】土を入れた無縫製袋土嚢の断面図。
【図９】無縫製袋土嚢の斜視図。
【図１０】図９のＢ部分の拡大図。
【図１１】土嚢連結体の平面図。
【図１２】土嚢連結体の分解斜視図。
【図１３】巻回した土嚢連結帯の斜視図。
【発明を実施するための形態】
【００１２】
この発明を実施するための一形態を、以下図面を用いて説明する。
【００１３】
この説明では主に２種類の無縫製袋土嚢１１（１１ａ，１１ｂ）（図１、図９参照）について述べる。いずれの無縫製袋土嚢１１も、経糸１２と緯糸１３で袋織りして形成され、一端に開口部１４を有する二重織物からなるものであり、互いに重なり合うシート状をなす一方の織組織１５と他方の織組織１６における開口部１４の縁部に、袋織り時に織り込まれた口紐１７を経糸１２又は緯糸１３と平行に有する。
【００１４】
まず、図１に示した無縫製袋土嚢１１ａを説明する。
【００１５】
無縫製袋土嚢１１ａの口紐１７部分（図１のＡ部分）を拡大した状態を図２に示す。図１と図２に示すように、無縫製袋土嚢１１ａの織組織１５，１６は、経糸１２にモノフィラメントを、緯糸１３にテープヤーン又はフラットヤーンを用いて構成されている。経糸１２と緯糸１３は合成樹脂製である。
【００１６】
経糸１２は複数本ずつ適宜間隔をおいて平行に並び、緯糸１３は経糸１２と直交し平行に並べられるとともに経糸１２によって表裏両面から挟まれて保持されている。
【００１７】
そして口紐１７は、緯糸１３よりも幅広の（太い）ものが使用され、緯糸１３と平行に織り込まれている。すなわち、経糸１２と緯糸１３で互いに重なり合う２つの織組織１５，１６を織成するときに、口紐１７を備える部分は緯糸１３に替えて口紐１７を通して保持する。このため口紐１７は、緯糸１３と同様に経糸１２によって表裏両側から挟まれて保持される。
【００１８】
口紐１７は、互いに重なり合う一方の織組織１５と他方の織組織１６にそれぞれ備えられる。
【００１９】
口紐１７が延びる方向と直交する方向が織組織１５，１６の織成方向Ｄであり、無縫製袋土嚢１１ａは、織成方向Ｄに複数個連続して形成される。図３は無縫製袋土嚢１１ａを連結した土嚢連結体３１の表面図である。
【００２０】
なお、１枚の無縫製袋土嚢１１ａも、複数枚が一体になった土嚢連結体３１も、この発明の「無縫製袋土嚢」であるが、便宜上、複数枚の無縫製袋土嚢１１ａが一体となったものを、前述のとおり土嚢連結体３１という。
【００２１】
土嚢連結体３１では、無縫製袋土嚢１１ａの下端の閉鎖底部１８と、上端の開口部１４となる部分が一連に形成されている。つまり、土嚢連結体３１を構成する無縫製袋土嚢１１ａは、織成方向Ｄに延びる経糸１２によって上下方向に連結されることになる。
【００２２】
土嚢連結体３１の分解状態を図４に示す。無縫製袋土嚢１１ａ及び土嚢連結体３１は前述のように互いに重なり合う一方の織組織１５と他方の織組織１６からなり、織成方向Ｄの一定間隔おきの部分に密に織り込みを行って２枚の織組織１５，１６同士を一体化する前述の閉鎖底部１８を形成する。閉鎖底部１８は、織成方向Ｄに適宜長さに設定される。
【００２３】
また土嚢連結体３１の幅方向の左右両側部分に、織成方向Ｄ、つまり長手方向に沿って密に織り込みを行って２枚の織組織１５，１６同士を一体化する閉鎖側部１９を形成する。閉鎖底部１８は、織成方向Ｄと直交する方向に適宜幅に設定される。これらの閉鎖側部１９は、口紐１７を有する部分を飛ばして長手方向に不連続である。
【００２４】
このように二重織物からなる無縫製袋土嚢１１ａは、経糸１２と緯糸１３での袋織りに際して、織成方向Ｄに間欠的に閉鎖底部１８と閉鎖側部１９を形成しつつ、この袋織りに同期して、口紐１７を織り込む製造方法で製造される。口紐１７を織り込む位置は、閉鎖底部１８を形成する位置に隣接し、後に開口部１４となる部分の縁部であり、織り込む方向は、緯糸１３と平行である。
【００２５】
概ねこのような構成の土嚢連結体３１は、図５に示したように、ロール状に巻回されて流通され、使用に供される。つづら折り状などの形態に折りたたんで流通させてもよい。
【００２６】
以上の構成に加えて、無縫製袋土嚢１１ａは、つぎの構成を有する。
【００２７】
表裏２枚の織組織１５，１６を構成する糸の色は適宜設定されるが、植生土嚢とする場合には、織組織１５，１６のうち、一方の織組織１５と他方の織組織１６のうちの一方を構成する主な糸を黒色とし、他方を構成する主な糸を緑色とする。つまり、織組織１５，１６を構成する経糸１２にはモノフィラメントを、緯糸１３にはテープヤーン又はフラットヤーンを用いているので、緯糸１３の方が経糸１２よりも露出する割合が高く、織組織１５，１６を構成する主な糸となる。主な糸であるか否かは、織組織１５，１６の構成や使用する糸によって異なるが、表に表れて視覚上の影響が大きく出るか否かで判断される。複数の糸で主な糸を構成する場合もある。
【００２８】
図６に、一部を破断した状態で、互いに重なり合う織組織１５，１６を示している。この図に示すように、表裏一方の織組織１５の緯糸１３を黒色、他方の織組織１６の緯糸１３を緑色として、織組織１５，１６ごとに目立つ色を違えている。経糸１２を構成するモノフィラメントは緯糸１３に比べて細いものであるため、黒色や白色、無色（透明）など、適宜の色の糸で構成することができる。
【００２９】
また、図１、図３、図４に示したように、２枚の織組織１５，１６における閉鎖底部１８と口紐１７位置の間の適宜の部位には、他の部分を構成する糸と色の異なる緯糸を入れて目安線２１を形成している。この目安線２１の形成位置は、閉鎖底部１８を下にして土を入れた時に、土の充填量が適切な量となる位置である。目安線２１の色は、前述のように織組織１５，１６の主な糸の色を黒色又は緑色とした場合、視認しやすくするために例えば黄色などにするとよい。
【００３０】
さらに、植生土嚢とする場合には、一方の織組織１５又は他方の織組織１６の少なくとも一方の表面、つまり外面に、図７に示したように種子２２を付着させる。種子２２は接着剤２３によって保持される。図７の例では、表裏双方の織組織１５，１６の表面に付着させた例を示している。種子２２の付着は、長尺の土嚢連結体３１に対して連続して塗布し、その後に土嚢連結体３１をロール状に巻き取る。
【００３１】
種子２２は外面に付着しているが、無縫製袋土嚢１１ａとしての使用に際しては、図８に示したように無縫製袋土嚢１１ａを表裏反転して、種子２２を付着させた外面を内側にしてから、開口部１４を通じて土Ｘを入れる。
【００３２】
次に、図９に示した無縫製袋土嚢１１ｂを説明する。
【００３３】
無縫製袋土嚢１１ｂの口紐１７部分（図９のＢ部分）を拡大した状態を図１０に示す。この無縫製袋土嚢１１ｂでも、織組織１５，１６は経糸１２にモノフィラメントを、緯糸１３にテープヤーン又はフラットヤーンを用いて構成されている。経糸１２と緯糸１３は合成樹脂製である。図１０において左右方向は経糸１２の延びる方向、つまり織成方向Ｄであり、上下方向は緯糸１３の延びる方向である。
【００３４】
経糸１２は複数本ずつ適宜間隔をおいて平行に並び、緯糸１３は経糸１２と直交し平行に並べられており、経糸１２によって表裏両面から挟まれて保持されている。
【００３５】
口紐１７は、経糸１２よりも、また緯糸１３よりも幅広の（太い）ものが使用され、経糸１２と平行に織り込まれている。すなわち口紐１７は、経糸１２と緯糸１３で互いに重なり合う２つの織組織１５，１６を織成するときに、適宜長さで表裏ジグザグに縫うように緯糸１３間に通して保持される。図１０では、口紐１７が織組織１５，１６の裏から表、または表から裏に変化する部分を中心に描いている。
【００３６】
口紐１７は、互いに重なり合う一方の織組織１５と他方の織組織１６にそれぞれ備えられる。
【００３７】
口紐１７が延びる方向が織組織１５，１６の織成方向Ｄであり、無縫製袋土嚢１１ｂは、織成方向Ｄに複数個連続して形成される。図１１は無縫製袋土嚢１１ｂを連結した土嚢連結体３１の表面図である。
【００３８】
１枚の無縫製袋土嚢１１ｂも、複数枚が一体になった土嚢連結体３１も、この発明の「無縫製袋土嚢」であり、複数枚の無縫製袋土嚢１１ｂが一体となったものを便宜上、土嚢連結体３１ということは、前述と同じである。
【００３９】
土嚢連結体３１では、無縫製袋土嚢１１ｂの左右両方の側部となる部分が連結されている。つまり、土嚢連結体３１を構成する無縫製袋土嚢１１ｂは、織成方向Ｄに延びる経糸１２によって左右方向に連結されている。
【００４０】
また土嚢連結体３１は無縫製袋土嚢１１ｂ同士の側部の間に適宜長さの土嚢間部２４を有する。土嚢間部２４は緯糸１３を飛ばして形成される。このため土嚢間部２４は、経糸１２のみで構成されることになる。
【００４１】
土嚢連結体３１の分解状態を図１２に示す。無縫製袋土嚢１１ｂ及び土嚢連結体３１は前述のように互いに重なり合う一方の織組織１５と他方の織組織１６からなり、織成方向Ｄの一定間隔おきの部分に密に織り込みを行って２枚の織組織１５，１６同士を一体化する一対の閉鎖側部１９を一定間隔おきに順に形成する。閉鎖側部１９は織成方向Ｄに適宜長さに設定される。
【００４２】
一対の閉鎖側部１９の間隔は、無縫製袋土嚢１１ｂの幅に対応する間隔であり、一対の閉鎖側部１９同士の間隔は、前述の土嚢間部２４の長さに対応するものである。
【００４３】
また、土嚢連結体３１の幅方向の左右両側のうちの一方に、織成方向Ｄ、つまり長手方向に沿って密に織り込みを行って２枚の織組織１５，１６同士を一体化する閉鎖底部１８を形成する。この閉鎖底部１８は、無縫製袋土嚢１１ｂの下端を構成するものである。閉鎖底部１８は、織成方向Ｄと直交する方向に適宜幅に設定される。
【００４４】
そして、土嚢連結体３１の幅方向の左右方向のうちの他方には、織り込みを行わずに開口部１４を形成する。この開口部１４の縁部における経糸１２間に、前述の口紐１７が織り込まれる。
【００４５】
このように二重織物からなる無縫製袋土嚢１１ｂも、前述の図１に示した無縫製袋土嚢１１ａと同じく、経糸１２と緯糸１３での袋織りに際して、織成方向Ｄに間欠的に閉鎖底部１８と閉鎖側部１９を形成しつつ、この袋織りに同期して、口紐１７を織り込む製造方法で製造される。口紐１７を織り込む位置は、閉鎖底部１８と反対側に形成される開口部１４の縁部であり、織り込む方向は、経糸１２と平行である。
【００４６】
概ねこのような構成の土嚢連結体３１も、図１３に示したように、ロール状に巻回されて流通され、使用に供される。つづら折り状などの形態に折りたたんで流通させてもよい。
【００４７】
以上の構成のほか、二重織物を構成する一方の織組織１５と他方の織組織１６のうちの一方を構成する主な糸を黒色とし、他方を構成する主な糸を緑色とすること（図６参照）や、目安線２１（図１参照）を入れること、一方の織組織１５又は他方の織組織１６の少なくとも一方の表面に種子２２を付着させること（図７参照）も、前述の図１に示した無縫製袋土嚢１１ａと同じである。目安線２１は、糸の色を他の部分の糸と違えるほか、間隔が他の部分と異なる複数の糸で構成するなど、外観上識別力を有する態様にして形成することもできる。
【００４８】
以上のような構成の無縫製袋土嚢１１は、まず、巻回した状態の土嚢連結体３１を必要長さ引き出して、無縫製袋土嚢１１ごとに分離する。図１の無縫製袋土嚢１１ａでは、図３に仮想線で示したように閉鎖底部１８のすぐ下の位置で切断し、図９の無縫製袋土嚢１１ｂでは、図１１に仮想線で示したように土嚢間部２４内の適宜位置で切断する。
【００４９】
無縫製袋土嚢１１を分離した後は、表裏反転して種子２２を付着させた面を内側にしてから開口部１４を通して土Ｘを入れ（図８参照）、口紐１７で開口部１４を閉じる。そして、主に緑色を呈する面を上にして無縫製袋土嚢１１を設置する。
【００５０】
無縫製袋土嚢１１の切断後に、必要に応じて口紐１７の一端同士を結束したり、金具などの留め具で結合したり、溶着したりして使用に供してもよい。溶着する場合には、例えば超音波ホッチキスなどが便利に使用できる。溶着は口紐１７の一端同士のみに対して行うほか、織組織１５，１６に対しても行ってもよい。
【００５１】
このように、無縫製袋土嚢１１は、口紐１７の保持までも、織成だけで製造できる。つまり、口紐１７は無縫製袋土嚢１１が織成された段階で備えられており、縫製はもちろん、通すための作業もなしに使用することができる。このため、製造が容易である上に簡易迅速に使用できる。
【００５２】
また、無縫製袋土嚢１１は経糸１２によって複数個が連続して土嚢連結体３１を構成しており、この状態で流通させるので、無縫製袋土嚢１１がばらばらである場合に比して、取り扱いが容易である。ロール状に巻回した場合にはさらに管理等が容易になる。
【００５３】
さらに、種子２２は織組織１５，１６の表面に付着させるので、付着作業は容易である。しかも、無縫製袋土嚢１１が複数個連結した土嚢連結体３１を構成しているので、たとえば織成工程から巻き取り工程へ移行する一連の工程の途中で種子２２の付着を行うこともでき、種子２２の付着作業が容易である。種子２２の付着後は、ロール状に巻きとっておくことによって、付着させた種子２２を簡単に保護できる。
【００５４】
土入れは種子２２を付着した面を内側にして行うが、反転作業は極めて容易である。反転させてから設置を行うので、土入れ作業や設置作業において種子２２が脱落することを抑制できる。
【００５５】
前述の構成はこの発明を実施するための一形態であり、この発明はその他の構成を採用することもできる。
【００５６】
例えば、経糸１２と緯糸１３にテープヤーン又はフラットヤーンを用いるなど、織組織１５，１６は所望に応じて適宜形成できる。
【００５７】
無縫製袋土嚢１１は、複数個を連結したものとするほか、織成後に個別に分離してから流通させてもよい。
【００５８】
植生土嚢としない場合には、種子の付着を省略する。
【符号の説明】
【００５９】
１１，１１ａ，１１ｂ…無縫製袋土嚢
１２…経糸
１３…緯糸
１４…開口部
１５，１６…織組織
１７…口紐
２２…種子
【図１】
2019052449.tif 000003
【図２】
2019052449.tif 000004
【図３】
2019052449.tif 000005
【図４】
2019052449.tif 000006
【図５】
2019052449.tif 000007
【図６】
2019052449.tif 000008
【図７】
2019052449.tif 000009
【図８】
2019052449.tif 000010
【図９】
2019052449.tif 000011
【図１０】
2019052449.tif 000012
【図１１】
2019052449.tif 000013
【図１２】
2019052449.tif 000014
【図１３】
2019052449.tif 000015